(57)【要約】【課題】物理上りリンク制御チャネルを効率的に送信する。【解決手段】物理下りリンク制御チャネルを受信する受信部と、物理上りリンク制御チャネルを送信する送信部と、を備え、前記受信部は、前記物理下りリンク制御チャネルで運ばれる下りリンク制御情報を受信し、前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含み、サウンディング参照信号のリソースを示す情報に基づいて、上りリンク制御チャネルを送信する。【選択図】図１
2019050472.tif 000002
【特許請求の範囲】
【請求項１】
基地局装置と通信する端末装置であって、
物理下りリンク制御チャネルを受信する受信部と、
物理上りリンク制御チャネルを送信する送信部と、を備え、
前記受信部は、前記物理下りリンク制御チャネルで運ばれる下りリンク制御情報を受信し、
前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含み、
サウンディング参照信号のリソースを示す情報に基づいて、上りリンク制御チャネルを送信する端末装置。
【請求項２】
端末装置と通信する基地局装置であって、
物理下りリンク制御チャネルを送信する送信部と、
物理上りリンク制御チャネルを受信する受信部と、を備え、
前記送信部は、前記物理下りリンク制御チャネルで運ばれる下りリンク制御情報を送信し、
前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含む基地局装置。
【請求項３】
基地局装置と通信する端末装置の通信方法であって、
物理下りリンク制御チャネルを受信し、
物理上りリンク制御チャネルを送信し、
前記物理下りリンク制御チャネルで運ばれる下りリンク制御情報を受信し、
前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含み、
サウンディング参照信号のリソースを示す情報に基づいて、上りリンク制御チャネルを送信する通信方法。
【請求項４】
端末装置と通信する基地局装置の通信方法であって、
物理下りリンク制御チャネルを送信し、
物理上りリンク制御チャネルを受信し、
前記物理下りリンク制御チャネルで運ばれる下りリンク制御情報を送信し、
前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含む通信方法。
【請求項５】
基地局装置と通信する端末装置に実装される集積回路であって、
物理下りリンク制御チャネルを受信する受信手段と、
物理上りリンク制御チャネルを送信する送信手段と、を備え、
前記受信手段は、前記物理下りリンク制御チャネルで運ばれる下りリンク制御情報を受信し、
前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含み、
サウンディング参照信号のリソースを示す情報に基づいて、上りリンク制御チャネルを送信する集積回路。
【請求項６】
端末装置と通信する基地局装置に実装される集積回路であって、
物理下りリンク制御チャネルを送信する送信手段と、
物理上りリンク制御チャネルを受信する受信手段と、を備え、
前記送信手段は、前記物理下りリンク制御チャネルで運ばれる下りリンク制御情報を送信し、
前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含む集積回路。
【発明の詳細な説明】
【技術分野】
【０００１】
本発明は、基地局装置、端末装置、通信方法、および、集積回路に関する。
【背景技術】
【０００２】
現在、第５世代のセルラーシステムに向けた無線アクセス方式および無線ネットワーク技術として、第三世代パートナーシッププロジェクト（3GPP: The Third Generation Partnership Project）において、LTE（Long Term Evolution）-Advanced Pro及びNR（New Radio technology）の技術検討及び規格策定が行われている（非特許文献１）。
【０００３】
第５世代のセルラーシステムでは、高速・大容量伝送を実現するeMBB（enhanced Mobile BroadBand）、低遅延・高信頼通信を実現するURLLC（Ultra-Reliable and Low Latency
Communication）、IoT（Internet of Things）などマシン型デバイスが多数接続するmMTC（massive Machine Type Communication）の3つがサービスの想定シナリオとして要求されている。
【先行技術文献】
【非特許文献】
【０００４】
【非特許文献１】RP-161214, NTT DOCOMO, “Revision of SI: Study on New Radio Access Technology”, 2016年6月
【発明の概要】
【発明が解決しようとする課題】
【０００５】
本発明の目的は、上記のような無線通信システムにおいて、基地局装置と端末装置が、効率的に端末装置、基地局装置、通信方法、および、集積回路を提供することを目的とする。
【課題を解決するための手段】
【０００６】
（１）上記の目的を達成するために、本発明の態様は、以下のような手段を講じた。すなわち、本発明の一態様における端末装置は、基地局装置と通信する端末装置であって、物理下りリンク制御チャネルを受信する受信部と、物理上りリンク制御チャネルを送信する送信部と、を備え、前記受信部は、前記物理下りリンク制御チャネルで運ばれる下りリンク制御情報を受信し、前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含み、サウンディング参照信号のリソースを示す情報に基づいて、上りリンク制御チャネルを送信する。
【０００７】
（２）また、本発明の一態様における基地局装置は、端末装置と通信する基地局装置であって、物理下りリンク制御チャネルを送信する送信部と、物理上りリンク制御チャネルを受信する受信部と、を備え、前記送信部は、前記物理下りリンク制御チャネルで運ばれる下りリンク制御情報を送信し、前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含む。
【０００８】
（３）また、本発明の一態様における通信方法は、基地局装置と通信する端末装置の通信方法であって、物理下りリンク制御チャネルを受信し、物理上りリンク制御チャネルを送信し、前記物理下りリンク制御チャネルで運ばれる下りリンク制御情報を受信し、前記下りリンク制御情報の下りリンク制御情報フォーマットは、物理下りリンク共用チャネル
のスケジューリングに用いられ、前記下りリンク制御情報フォーマットは、一つのサウンディング参照信号のリソースを示す情報を含み、サウンディング参照信号のリソースを示す情報に基づいて、上りリンク制御チャネルを送信する。
【０００９】
（４）また、本発明の一態様における通信方法は、端末装置と通信する基地局装置の通信方法であって、物理下りリンク制御チャネルを送信し、物理上りリンク制御チャネルを受信し、前記物理下りリンク制御チャネルで運ばれる下りリンク制御情報を送信し、前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含む。
【００１０】
（５）また、本発明の一態様における集積回路は、基地局装置と通信する端末装置に実装される集積回路であって、物理下りリンク制御チャネルを受信する受信手段と、物理上りリンク制御チャネルを送信する送信手段と、を備え、前記受信手段は、前記物理下りリンク制御チャネルで運ばれる下りリンク制御情報を受信し、前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含み、サウンディング参照信号のリソースを示す情報に基づいて、上りリンク制御チャネルを送信する。
【００１１】
（６）また、本発明の一態様における通信方法は、端末装置と通信する基地局装置に実装される集積回路であって、物理下りリンク制御チャネルを送信する送信手段と、物理上りリンク制御チャネルを受信する受信手段と、を備え、前記送信手段は、前記物理下りリンク制御チャネルで運ばれる下りリンク制御情報を送信し、前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含む。
【発明の効果】
【００１２】
この発明によれば、基地局装置と端末装置が、効率的に通信することができる。
【図面の簡単な説明】
【００１３】
【図１】本実施形態における無線通信システムの概念を示す図である。
【図２】本実施形態における下りリンクスロットの概略構成の一例を示す図である。
【図３】サブフレーム、スロット、ミニスロットの時間領域における関係を示した図である。
【図４】スロットまたはサブフレームの一例を示す図である。
【図５】ビームフォーミングの一例を示した図である。
【図６】ＳＲＳリソースの一例を示した図である。
【図７】本実施形態における端末装置１の構成を示す概略ブロック図である。
【図８】本実施形態における基地局装置３の構成を示す概略ブロック図である。
【発明を実施するための形態】
【００１４】
以下、本発明の実施形態について説明する。
【００１５】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１６】
端末装置１は、ユーザ端末、移動局装置、通信端末、移動機、端末、ＵＥ（User Equip
ment）、ＭＳ（Mobile Station）とも称される。基地局装置３は、無線基地局装置、基地局、無線基地局、固定局、ＮＢ（Node B）、ｅＮＢ（evolved Node B）、ＢＴＳ（Base Transceiver Station）、ＢＳ（Base Station）、ＮＲ  ＮＢ（NR Node B）、ＮＮＢ、Ｔ
ＲＰ（Transmission and Reception Point）、ｇＮＢとも称される。
【００１７】
図１において、端末装置１と基地局装置３の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤＭ（DFT-S-OFDM: Discrete Fourier Transform Spread OFDM）、マルチキャリア符号分割多重（MC-CDM: Multi-Carrier Code Division Multiplexing）が用いられてもよい。
【００１８】
また、図１において、端末装置１と基地局装置３の間の無線通信では、ユニバーサルフィルタマルチキャリア（UFMC: Universal-Filtered Multi-Carrier）、フィルタＯＦＤＭ（F-OFDM: Filtered OFDM）、窓関数が乗算されたＯＦＤＭ（Windowed OFDM）、フィルタバンクマルチキャリア（FBMC: Filter-Bank Multi-Carrier）が用いられてもよい。
【００１９】
なお、本実施形態ではＯＦＤＭを伝送方式としてＯＦＤＭシンボルで説明するが、上述の他の伝送方式の場合を用いた場合も本発明に含まれる。
【００２０】
また、図１において、端末装置１と基地局装置３の間の無線通信では、ＣＰを用いない、あるいはＣＰの代わりにゼロパディングをした上述の伝送方式が用いられてもよい。また、ＣＰやゼロパディングは前方と後方の両方に付加されてもよい。
【００２１】
図１において、端末装置１と基地局装置３の間の無線通信では、サイクリックプレフィックス（CP: Cyclic Prefix）を含む直交周波数分割多重（OFDM: Orthogonal Frequency Division Multiplexing）、シングルキャリア周波数多重（SC-FDM: Single-Carrier Frequency Division Multiplexing）、離散フーリエ変換拡散ＯＦＤＭ（DFT-S-OFDM: Discrete Fourier Transform Spread OFDM）、マルチキャリア符号分割多重（MC-CDM: Multi-Carrier Code Division Multiplexing）が用いられてもよい。
【００２２】
図１において、端末装置１と基地局装置３の無線通信では、以下の物理チャネルが用いられる。
【００２３】
・ＰＢＣＨ（Physical Broadcast CHannel）
・ＰＤＣＣＨ（Physical Downlink Control CHannel）
・ＰＤＳＣＨ（Physical Downlink Shared CHannel）
・ＰＵＣＣＨ（Physical Uplink Control CHannel）
・ＰＵＳＣＨ（Physical Uplink Shared CHannel）
・ＰＲＡＣＨ（Physical Random Access CHannel）
【００２４】
ＰＢＣＨは、端末装置１が必要な重要なシステム情報を含む重要情報ブロック（MIB: Master Information Block、EIB: Essential Information Block、ＢＣＨ：Broadcast Channel）を報知するために用いられる。
【００２５】
また、ＰＢＣＨは、同期信号のブロック（ＳＳ／ＰＢＣＨブロックとも称する）の周期内の時間インデックスを報知するために用いられてよい。ここで、時間インデックスは、セル内の同期信号およびＰＢＣＨのインデックスを示す情報である。例えば、３つの送信ビームを用いてＳＳ／ＰＢＣＨブロックを送信する場合、予め定められた周期内または設定された周期内の時間順を示してよい。また、端末装置は、時間インデックスの違いを送
信ビームの違いと認識してもよい。
【００２６】
ＰＤＣＣＨは、下りリンクの無線通信（基地局装置３から端末装置１への無線通信）において、下りリンク制御情報（Downlink Control Information: DCI）を送信する（また
は運ぶ）ために用いられる。ここで、下りリンク制御情報の送信に対して、１つまたは複数のＤＣＩ（ＤＣＩフォーマットと称してもよい）が定義される。すなわち、下りリンク制御情報に対するフィールドがＤＣＩとして定義され、情報ビットへマップされる。
【００２７】
例えば、ＤＣＩとして、スロットフォーマットを示す情報が指示されてもよい。例えば、ＤＣＩとして、ＰＤＣＣＨおよび／またはＰＤＳＣＨが含まれる下りリンクの送信期間、ギャップ、ＰＵＣＣＨおよび／またはＰＵＳＣＨ、ＳＲＳが含まれる上りリンクの送信期間を示す情報を含むＤＣＩが定義されてもよい。
【００２８】
例えば、ＤＣＩとして、スケジューリングされたＰＤＳＣＨの送信期間を示す情報を含むＤＣＩが定義されてもよい。
【００２９】
例えば、ＤＣＩとして、スケジューリングされたＰＵＳＣＨの送信期間を示す情報を含むＤＣＩが定義されてもよい。
【００３０】
例えば、ＤＣＩとして、スケジューリングされたＰＤＳＣＨに対するＨＡＲＱ−ＡＣＫを送信するタイミングを示す情報を含むＤＣＩが定義されてもよい。
【００３１】
例えば、ＤＣＩとして、スケジューリングされたＰＵＳＣＨに対するＨＡＲＱ−ＡＣＫを送信するタイミングを示す情報を含むＤＣＩが定義されてもよい。
【００３２】
例えば、ＤＣＩとして、１つのセルにおける１つの下りリンクの無線通信ＰＤＳＣＨ（１つの下りリンクトランスポートブロックの送信）のスケジューリングのために用いられるＤＣＩが定義されてもよい。
【００３３】
例えば、ＤＣＩとして、１つのセルにおける１つの上りリンクの無線通信ＰＵＳＣＨ（１つの上りリンクトランスポートブロックの送信）のスケジューリングのために用いられるＤＣＩが定義されてもよい。
【００３４】
ここで、ＤＣＩには、ＰＵＳＣＨまたはＰＤＳＣＨのスケジューリングに関する情報が含まれる。ここで、下りリンクに対するＤＣＩを、下りリンクグラント（downlink grant）、または、下りリンクアサインメント（downlink assignment）とも称する。ここで、
上りリンクに対するＤＣＩを、上りリンクグラント（uplink grant）、または、上りリンクアサインメント（Uplink assignment）とも称する。
【００３５】
ＰＵＳＣＨは、上りリンクの無線通信（端末装置１から基地局装置３の無線通信）において、上りリンク制御情報（Uplink Control Information: UCI）を送信するために用い
られる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含ま
れてもよい。ＨＡＲＱ−ＡＣＫは、下りリンクデータ（Transport block, Medium Access
Control Protocol Data Unit: MAC PDU, Downlink-Shared Channel: DL-SCH）に対する
ＨＡＲＱ−ＡＣＫを示してもよい。
【００３６】
ＰＤＳＣＨは、媒介アクセス（MAC: Medium Access Control）層からの下りリンクデータ（DL-SCH: Downlink Shared CHannel）の送信に用いられる。また、下りリンクの場合
にはシステム情報（SI: System Information）やランダムアクセス応答（RAR: Random Access Response）などの送信にも用いられる。
【００３７】
ＰＵＳＣＨは、ＭＡＣ層からの上りリンクデータ（UL-SCH: Uplink Shared CHannel）
または上りリンクデータと共にＨＡＲＱ−ＡＣＫおよび／またはＣＳＩを送信するために用いられてもよい。また、ＣＳＩのみ、または、ＨＡＲＱ−ＡＣＫおよびＣＳＩのみを送信するために用いられてもよい。すなわち、ＵＣＩのみを送信するために用いられてもよい。
【００３８】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource
Control message、RRC information: Radio Resource Control informationとも称され
る）を送受信してもよい。また、基地局装置３と端末装置１は、ＭＡＣ（Medium Access Control）層において、ＭＡＣコントロールエレメントを送受信してもよい。ここで、Ｒ
ＲＣシグナリング、および／または、ＭＡＣコントロールエレメントを、上位層の信号（higher layer signaling）とも称する。ここでの上位層は、物理層から見た上位層を意味するため、ＭＡＣ層、ＲＲＣ層、ＲＬＣ層、ＰＤＣＰ層、ＮＡＳ（Non Access Stratum）層などの一つまたは複数を含んでもよい。例えば、ＭＡＣ層の処理において上位層とは、ＲＲＣ層、ＲＬＣ層、ＰＤＣＰ層、ＮＡＳ層などの一つまたは複数を含んでもよい。
【００３９】
ＰＤＳＣＨまたはＰＵＳＣＨは、ＲＲＣシグナリング、および、ＭＡＣコントロールエレメントを送信するために用いられてもよい。ここで、ＰＤＳＣＨにおいて、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）で
あってもよい。すなわち、端末装置固有（ＵＥスペシフィック）の情報は、ある端末装置１に対して専用のシグナリングを用いて送信されてもよい。また、ＰＵＳＣＨは、上りリンクにおいてＵＥの能力（UE Capability）の送信に用いられてもよい。
【００４０】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・参照信号（Reference Signal: RS）
【００４１】
同期信号は、プライマリ同期信号（ＰＳＳ：Primary Synchronization Signal）およびセカンダリ同期信号（ＳＳＳ）を含んでよい。ＰＳＳとＳＳＳを用いてセルＩＤが検出されてよい。
【００４２】
同期信号は、端末装置１が下りリンクの周波数領域および時間領域の同期をとるために用いられる。ここで、同期信号は、端末装置１が基地局装置３によるプリコーディングまたはビームフォーミングにおけるプリコーディングまたはビームの選択に用いられて良い。なお、ビームは、送信または受信フィルタ設定と呼ばれてもよい。
【００４３】
参照信号は、端末装置１が物理チャネルの伝搬路補償を行うために用いられる。ここで、参照信号は、端末装置１が下りリンクのＣＳＩを算出するためにも用いられてよい。また、参照信号は、無線パラメータやサブキャリア間隔などのヌメロロジーやＦＦＴの窓同
期などができる程度の細かい同期（Fine synchronization）に用いられて良い。
【００４４】
本実施形態において、以下の下りリンク参照信号のいずれか１つまたは複数が用いられる。
・ＤＭＲＳ（Demodulation Reference Signal）
・ＣＳＩ−ＲＳ（Channel State Information Reference Signal）
・ＰＴＲＳ（Phase Tracking Reference Signal）
・ＴＲＳ（Tracking Reference Signal）
【００４５】
ＤＭＲＳは、変調信号を復調するために使用される。なお、ＤＭＲＳには、ＰＢＣＨを復調するための参照信号と、ＰＤＳＣＨを復調するための参照信号の２種類が定義されてもよいし、両方をＤＭＲＳと称してもよい。ＣＳＩ−ＲＳは、チャネル状態情報（ＣＳＩ：Channel State Information）の測定およびビームマネジメントに使用される。ＰＴＲ
Ｓは、位相雑音に起因する周波数オフセットを保証する目的で、時間軸で位相をトラックするために使用される。ＴＲＳは、高速移動時におけるドップラーシフトを保証するために使用される。なお、ＴＲＳはＣＳＩ−ＲＳの１つの設定として用いられてよい。例えば、１ポートのＣＳＩ−ＲＳがＴＲＳとして無線リソースが設定されてもよい。
【００４６】
本実施形態において、以下の上りリンク参照信号のいずれか１つまたは複数が用いられる。
・ＤＭＲＳ（Demodulation Reference Signal）
・ＰＴＲＳ（Phase Tracking Reference Signal）
・ＳＲＳ（Sounding Reference Signal）
【００４７】
ＤＭＲＳは、変調信号を復調するために使用される。なお、ＤＭＲＳには、ＰＵＣＣＨを復調するための参照信号と、ＰＵＳＣＨを復調するための参照信号の２種類が定義されてもよいし、両方をＤＭＲＳと称してもよい。ＳＲＳは、上りリンクチャネル状態情報（ＣＳＩ：Channel State Information）の測定、チャネルサウンディング、およびビーム
マネジメントに使用される。ＰＴＲＳは、位相雑音に起因する周波数オフセットを保証する目的で、時間軸で位相をトラックするために使用される。
【００４８】
下りリンク物理チャネルおよび／または下りリンク物理シグナルを総称して、下りリンク信号と称する。上りリンク物理チャネルおよび／または上りリンク物理シグナルを総称して、上りリンク信号と称する。下りリンク物理チャネルおよび／または上りリンク物理チャネルを総称して、物理チャネルと称する。下りリンク物理シグナルおよび／または上りリンク物理シグナルを総称して、物理シグナルと称する。
【００４９】
ＢＣＨ、ＵＬ−ＳＣＨおよびＤＬ−ＳＣＨは、トランスポートチャネルである。媒体アクセス制御（ＭＡＣ：Medium Access Control）層で用いられるチャネルをトランスポー
トチャネルと称する。ＭＡＣ層で用いられるトランスポートチャネルの単位を、トランスポートブロック（ＴＢ：transport block）および／またはＭＡＣ  ＰＤＵ（Protocol Data Unit）とも称する。ＭＡＣ層においてトランスポートブロック毎にＨＡＲＱ（Hybrid Automatic Repeat reQuest）の制御が行われる。トランスポートブロックは、ＭＡＣ層が物理層に渡す（deliver）データの単位である。物理層において、トランスポートブロッ
クはコードワードにマップされ、コードワード毎に符号化処理が行われる。
【００５０】
また、参照信号は、無線リソース測定（ＲＲＭ：Radio Resource Measurement）に用いられてよい。また、参照信号は、ビームマネジメントに用いられてよい。
【００５１】
ビームマネジメントは、送信装置（下りリンクの場合は基地局装置３であり、上りリン
クの場合は端末装置１である）におけるアナログおよび／またはディジタルビームと、受信装置（下りリンクの場合は端末装置１、上りリンクの場合は基地局装置３である）におけるアナログおよび／またはディジタルビームの指向性を合わせ、ビーム利得を獲得するための基地局装置３および／または端末装置１の手続きであってよい。
【００５２】
なお、ビームペアリンクを構成、設定または確立する手続きとして、下記の手続きを含んでよい。
・ビーム選択（Beam selection）
・ビーム改善（Beam refinement）
・ビームリカバリ（Beam recovery）
【００５３】
例えば、ビーム選択は、基地局装置３と端末装置１の間の通信においてビームを選択する手続きであってよい。また、ビーム改善は、さらに利得の高いビームの選択、あるいは端末装置１の移動によって最適な基地局装置３と端末装置１の間のビームの変更をする手続きであってよい。ビームリカバリは、基地局装置３と端末装置１の間の通信において遮蔽物や人の通過などにより生じるブロッケージにより通信リンクの品質が低下した際にビームを再選択する手続きであってよい。
【００５４】
ビームマネジメントには、ビーム選択、ビーム改善が含まれてよい。ビームリカバリには、下記の手続きを含んでよい。
・ビーム失敗（beam failure）の検出
・新しいビームの発見
・ビームリカバリリクエストの送信
・ビームリカバリリクエストに対する応答のモニタ
【００５５】
例えば、端末装置１における基地局装置３の送信ビームを選択する際にＣＳＩ−ＲＳまたはＳＳ／ＰＢＣＨブロックに含まれるＳＳＳのＲＳＲＰ（Reference Signal Received Power）を用いてもよいし、ＣＳＩを用いてもよい。また、基地局装置３への報告として
ＣＳＩ−ＲＳリソースインデックス（ＣＲＩ：CSI-RS Resource Index）を用いてもよい
し、ＳＳ／ＰＢＣＨブロックに含まれるＰＢＣＨで報知される時間インデックスを用いてもよい。
【００５６】
また、基地局装置３は、端末装置１へビームを指示する際にＣＲＩまたはＳＳ／ＰＢＣＨの時間インデックスを指示し、端末装置１は、指示されたＣＲＩまたはＳＳ／ＰＢＣＨの時間インデックスに基づいて受信する。このとき、端末装置１は指示されたＣＲＩまたはＳＳ／ＰＢＣＨの時間インデックスに基づいて空間フィルタを設定し、受信してよい。また、端末装置１は、疑似同位置（ＱＣＬ：Quasi-Co-Location）の想定を用いて受信し
てもよい。ある信号（アンテナポート、同期信号、参照信号など）が別の信号（アンテナポート、同期信号、参照信号など）とＱＣＬであるまたは、ＱＣＬ想定されるとは、ある信号が別の信号と関連付けられていると解釈できる。
【００５７】
もしあるアンテナポートにおけるあるシンボルが搬送されるチャネルの長区間特性（Long Term Property）が他方のアンテナポートにおけるあるシンボルが搬送されるチャネルから推論されうるなら、２つのアンテナポートはＱＣＬであるといわれる。チャネルの長区間特性は、遅延スプレッド、ドップラースプレッド、ドップラーシフト、平均利得、及び平均遅延の１つまたは複数を含む。例えば、アンテナポート１とアンテナポート２が平均遅延に関してＱＣＬである場合、アンテナポート１の受信タイミングからアンテナポート２の受信タイミングが推論されうることを意味する。
【００５８】
このＱＣＬは、ビームマネジメントにも拡張されうる。そのために、空間に拡張したＱ
ＣＬが新たに定義されてもよい。例えば、空間のＱＣＬ想定におけるチャネルの長区間特性（Long term property）として、無線リンクあるいはチャネルにおける到来角（AoA（Angle of Arrival）, ZoA（Zenith angle of Arrival）など）および／または角度広がり
（Angle Spread、例えばASA（Angle Spread of Arrival）やZSA（Zenith angle Spread of Arrival））、送出角（AoD, ZoDなど）やその角度広がり（Angle Spread、例えばASD（Angle Spread of Departure）やZSS（Zenith angle Spread of Departure））、空間相関（Spatial Correlation）、受信空間パラメータであってもよい。
【００５９】
例えば、アンテナポート１とアンテナポート２の間で受信空間パラメータに関してＱＣＬであるとみなせる場合、アンテナポート１からの信号を受信する受信ビーム（空間フィルタ）からアンテナポート２からの信号を受信する受信ビームが推論されうることを意味する。
【００６０】
この方法により、ビームマネジメントおよびビーム指示／報告として、空間のＱＣＬ想定と無線リソース（時間および／または周波数）によりビームマネジメントと等価な基地局装置３、端末装置１の動作が定義されてもよい。
【００６１】
以下、サブフレームについて説明する。本実施形態ではサブフレームと称するが、リソースユニット、無線フレーム、時間区間、時間間隔などと称されてもよい。
【００６２】
図２は、本発明の第１の実施形態に係る下りリンクスロットの概略構成の一例を示す図である。無線フレームのそれぞれは、１０ｍｓ長である。また、無線フレームのそれぞれは１０個のサブフレームおよびＷ個のスロットから構成される。また、１スロットは、Ｘ個のＯＦＤＭシンボルで構成される。つまり、１サブフレームの長さは１ｍｓである。スロットのそれぞれは、サブキャリア間隔によって時間長が定義される。例えば、ＯＦＤＭシンボルのサブキャリア間隔が１５ｋＨｚ、ＮＣＰ（Normal Cyclic Prefix）の場合、Ｘ＝７あるいはＸ＝１４であり、それぞれ０．５ｍｓおよび１ｍｓである。また、サブキャリア間隔が６０ｋＨｚの場合は、Ｘ＝７あるいはＸ＝１４であり、それぞれ０．１２５ｍｓおよび０．２５ｍｓである。また、例えば、Ｘ＝１４の場合、サブキャリア間隔が１５ｋＨｚの場合はＷ＝１０であり、サブキャリア間隔が６０ｋＨｚの場合はＷ＝４０である。図２は、Ｘ＝７の場合を一例として示している。なお、Ｘ＝１４の場合にも同様に拡張できる。また、上りリンクスロットも同様に定義され、下りリンクスロットと上りリンクスロットは別々に定義されてもよい。また、図２のセルの帯域幅は帯域の一部（ＢＷＰ：BandWidth Part）として定義されてもよい。また、スロットは、送信時間間隔（ＴＴＩ：Transmission Time Interval）と定義されてもよい。スロットは、ＴＴＩとして定義されなくてもよい。ＴＴＩは、トランスポートブロックの送信期間であってもよい。
【００６３】
スロットのそれぞれにおいて送信される信号または物理チャネルは、リソースグリッドによって表現されてよい。リソースグリッドは、複数のサブキャリアと複数のＯＦＤＭシンボルによって定義される。1つのスロットを構成するサブキャリアの数は、セルの下り
リンクおよび上りリンクの帯域幅にそれぞれ依存する。リソースグリッド内のエレメントのそれぞれをリソースエレメントと称する。リソースエレメントは、サブキャリアの番号とＯＦＤＭシンボルの番号とを用いて識別されてよい。
【００６４】
リソースブロックは、ある物理下りリンクチャネル（ＰＤＳＣＨなど）あるいは上りリンクチャネル（ＰＵＳＣＨなど）のリソースエレメントのマッピングを表現するために用いられる。リソースブロックは、仮想リソースブロックと物理リソースブロックが定義される。ある物理上りリンクチャネルは、まず仮想リソースブロックにマップされる。その後、仮想リソースブロックは、物理リソースブロックにマップされる。スロットに含まれるＯＦＤＭシンボル数Ｘ＝７で、ＮＣＰの場合には、１つの物理リソースブロックは、時
間領域において７個の連続するＯＦＤＭシンボルと周波数領域において12個の連続するサブキャリアとから定義される。つまり、１つの物理リソースブロックは、（7×12）個の
リソースエレメントから構成される。ＥＣＰ（Extended CP）の場合、１つの物理リソー
スブロックは、例えば、時間領域において６個の連続するOFDMシンボルと、周波数領域において12個の連続するサブキャリアとにより定義される。つまり、1つの物理リソースブ
ロックは、（6×12）個のリソースエレメントから構成される。このとき、1つの物理リソースブロックは、時間領域において１つのスロットに対応し、１５ｋＨｚのサブキャリア間隔の場合、周波数領域において１８０ｋＨｚ（６０ｋＨｚの場合には７２０ｋＨｚ）に対応する。物理リソースブロックは、周波数領域において０から番号が付けられている。
【００６５】
次に、サブキャリア間隔設定μについて説明する。ＮＲでは、複数のＯＦＤＭヌメロロジーがサポートされる。あるBWPにおいて、サブキャリア間隔設定μ（μ＝０，１，．．
．，５）と、サイクリックプレフィックス長は、下りリンクのBWPに対して上位レイヤで
与えられ、上りリンクのBWPにおいて上位レイヤで与えられる。ここで、μが与えられる
と、サブキャリア間隔Δｆは、Δｆ＝２＾μ・１５（ｋＨｚ）で与えられる。
【００６６】
サブキャリア間隔設定μにおいて、スロットは、サブフレーム内で０からＮ^{subframe,μ}_{slot}-1に昇順に数えられ、フレーム内で０からＮ^{frame,μ}_{slot}-1に昇順に
数えられる。スロット設定およびサイクリックプレフィックスに基づいてN^{slot}_{symb}の連続するＯＦＤＭシンボルがスロット内にある。N^{slot}_{symb}は７または１４である。サブフレーム内のスロットｎ^{μ}_{s}のスタートは、同じサブフレーム内のｎ^{μ}_{s} N^{slot}_{symb}番目のＯＦＤＭシンボルのスタートと時間でアラインされている。
【００６７】
次に、サブフレーム、スロット、ミニスロットについて説明する。図３は、サブフレーム、スロット、ミニスロットの時間領域における関係を示した図である。同図のように、３種類の時間ユニットが定義される。サブフレームは、サブキャリア間隔によらず１ｍｓであり、スロットに含まれるＯＦＤＭシンボル数は７または１４であり、スロット長はサブキャリア間隔により異なる。ここで、サブキャリア間隔が１５ｋＨｚの場合、１サブフレームには１４ＯＦＤＭシンボル含まれる。
【００６８】
ミニスロット（サブスロットと称されてもよい）は、スロットに含まれるＯＦＤＭシンボル数よりも少ないＯＦＤＭシンボルで構成される時間ユニットである。同図はミニスロットが２ＯＦＤＭシンボルで構成される場合を一例として示している。ミニスロット内のＯＦＤＭシンボルは、スロットを構成するＯＦＤＭシンボルタイミングに一致してもよい。なお、スケジューリングの最小単位はスロットまたはミニスロットでよい。また、ミニスロットを割り当てることを、ノンスロットベースのスケジューリングと称してもよい。また、ミニスロットをスケジューリングされることを参照信号とデータのスタート位置の相対的な時間位置が固定であるリソースがスケジュールされたと表現されてもよい。
【００６９】
図４は、スロットまたはサブフレームの一例を示す図である。ここでは、サブキャリア間隔１５ｋＨｚにおいてスロット長が０．５ｍｓの場合を例として示している。同図において、Ｄは下りリンク、Ｕは上りリンクを示している。同図に示されるように、ある時間区間内（例えば、システムにおいて１つのＵＥに対して割り当てなければならない最小の時間区間）においては、
・下りリンクパート（デュレーション）
・ギャップ
・上りリンクパート（デュレーション）
のうち１つまたは複数を含んでよい。なお、これらの割合はスロットフォーマットとして予め定められてもよい。また、スロット内に含まれる下りリンクのＯＦＤＭシンボル数またはスロット内のスタート位置および終了位置で定義されてもよい。また、スロット内に
含まれる上りリンクのＯＦＤＭシンボルまたはＤＦＴ−Ｓ−ＯＦＤＭシンボル数またはスロット内のスタート位置および終了位置で定義されてよい。なお、スロットをスケジューリングされることを参照信号とスロット境界の相対的な時間位置が固定であるリソースがスケジュールされたと表現されてもよい。
【００７０】
図４（ａ）は、ある時間区間（例えば、１ＵＥに割当可能な時間リソースの最小単位、またはタイムユニットなどとも称されてよい。また、時間リソースの最小単位を複数束ねてタイムユニットと称されてもよい。）で、全て下りリンク送信に用いられている例であり、図４（ｂ）は、最初の時間リソースで例えばＰＤＣＣＨを介して上りリンクのスケジューリングを行い、ＰＤＣＣＨの処理遅延及び下りから上りの切り替え時間、送信信号の生成のためのギャップを介して上りリンク信号を送信する。図４（ｃ）は、最初の時間リソースでＰＤＣＣＨおよび／または下りリンクのＰＤＳＣＨの送信に用いられ、処理遅延及び下りから上りの切り替え時間、送信信号の生成のためのギャップを介してＰＵＳＣＨまたはＰＵＣＣＨの送信に用いられる。ここで、一例としては、上りリンク信号はＨＡＲＱ−ＡＣＫおよび／またはＣＳＩ、すなわちＵＣＩの送信に用いられてよい。図４（ｄ）は、最初の時間リソースでＰＤＣＣＨおよび／またはＰＤＳＣＨの送信に用いられ、処理遅延及び下りから上りの切り替え時間、送信信号の生成のためのギャップを介して上りリンクのＰＵＳＣＨおよび／またはＰＵＣＣＨの送信に用いられる。ここで、一例としては、上りリンク信号は上りリンクデータ、すなわちＵＬ−ＳＣＨの送信に用いられてもよい。図４（ｅ）は、全て上りリンク送信（ＰＵＳＣＨまたはＰＵＣＣＨ）に用いられている例である。
【００７１】
上述の下りリンクパート、上りリンクパートは、ＬＴＥと同様複数のＯＦＤＭシンボルで構成されてよい。
【００７２】
図５は、ビームフォーミングの一例を示した図である。複数のアンテナエレメントは１つの送信ユニット（TXRU: Transceiver unit）１０に接続され、アンテナエレメント毎の位相シフタ１１によって位相を制御し、アンテナエレメント１２から送信することで送信信号に対して任意の方向にビームを向けることができる。典型的には、ＴＸＲＵがアンテナポートとして定義されてよく、端末装置１においてはアンテナポートのみが定義されてよい。位相シフタ１１を制御することで任意の方向に指向性を向けることができるため、基地局装置３は端末装置１に対して利得の高いビームを用いて通信することができる。  
【００７３】
端末装置１は、ＣＰ−ＯＦＤＭとＤＦＴ−Ｓ−ＯＦＤＭの２つの波形（waveform）を用いることができる。また、端末装置１は、ＣＰ−ＯＦＤＭおよび／またはＤＦＴ−Ｓ−ＯＦＤＭを用いて物理上りリンク共用チャネルを送信する場合に送信電力制御を行う。端末装置１は、物理上りリンク共用チャネルに対するトランスフォームプレコーディングがイネーブルされていない場合に、ＣＰ−ＯＦＤＭを用いる。トランスフォームプレコーディングがイネーブルされていないＰＵＳＣＨをＯＦＤＭ  ｂａｓｅｄ  ＰＵＳＣＨと呼んでもよい。端末装置１は、物理上りリンク共用チャネルに対するトランスフォームプレコーディングがイネーブルされている場合に、ＤＦＴ−Ｓ−ＯＦＤＭを用いる。トランスフォームプレコーディングがイネーブルされているＰＵＳＣＨをＤＦＴ-Ｓ-ＯＦＤＭ  ｂａｓｅｄ  ＰＵＳＣＨと呼んでもよい。サービングセルｃ、サービングセルｃの帯域の一部（サービングＢＷＰとも言う）ｃｂ（ｃｂは、以下単にｃと表現）、またはサービング帯域の一部（サービングＢＷＰとも言う）ｃの送信電力は、次式で表される。なお、トランスフォームプレコーディングは、離散フーリエ変換（ＤＦＴ：Discrete Fourier Transform）を適用することであってよい。また、トランスフォームプレコーディングをイネーブルするかしないかは、ＤＦＴ−Ｓ−ＯＦＤＭをＰＵＳＣＨに用いるかＣＰ−ＯＦＤＭをＰＵＳＣＨ送信に用いるかを切り替えることであってよい。また、端末装置１がトランスフォームプレコーディングをイネーブルするＰＵＳＣＨ送信を用いるかトランスフォームプレ
コーディングをイネーブルしないＰＵＳＣＨ送信を用いるかはＲＲＣシグナリング、ＭＡＣ  ＣＥおよび／またはＤＣＩで基地局装置３から指示されてよい。ＣＰ−ＯＦＤＭおよび／またはＤＦＴ−Ｓ−ＯＦＤＭかはＲＲＣシグナリング、ＭＡＣ  ＣＥ、および／またはＤＣＩで切り替えてもよい。また、基地局装置３は、ＲＲＣでいずれか一方または両方の波形を端末装置１に設定し、ＤＣＩにより波形を切り替えてもよい。
【００７４】
【数１】
2019050472.tif 000003
【００７５】
ＰＰＵＳＣＨ，ｃ（ｉ）はｃ番目のサービングセルまたはサービングＢＷＰのｉ番目のスロットにおけるＰＵＳＣＨの送信電力（ｄＢｍ）、ｊはＰＵＳＣＨの種類に関するパラメータを表している。例えば、ｊ＝０の場合は、セミパーシステントスケジューリング、ｊ＝１はダイナミックスケジューリング、ｊ＝２はランダムアクセスレスポンスグラントの送信であることを表している。
【００７６】
また、Ｐｃｍａｘ，ｃはｃ番目のサービングセルまたはサービングＢＷＰにおける最大送信電力、ＭＰＵＳＣＨ，ｃ（ｉ）はｃ番目のサービングセルまたはサービングＢＷＰにおけるｉ番目のスロットのための（スケジュールされた）有効なリソースブロック数で表現されるＰＵＳＣＨのリソース割当の帯域幅である。また、ＰＯ＿ＰＵＳＣＨ，ｃ（ｊ）は上位レイヤで与えられるセル固有および／またはユーザ固有の電力、αｃ（ｊ）は上位レイヤで与えられる０から１の間で表されるパスロス補償ファクタ、ＰＬｃはｃ番目のサービングセルまたはサービングＢＷＰにおけるＳＳブロック（ＰＳＳ、ＳＳＳ、ＰＢＣＨなど）またはＣＳＩ−ＲＳから推定されるパスロス推定値である。ΔＴＦ，ｃは上位レイヤで指示された場合、またはＵＣＩを多重する場合に与えられる電力補正、ｆｃ（ｉ）は、ＤＣＩで指示されたＴＰＣ（Transmission Power Control）コマンドによるｉ番目のスロットにおける補正値または累積値である。
【００７７】
すなわち、ある状況（例えば、ＰＵＣＣＨを同じスロット送信しない場合など）で、ｃ番目のサービングセルまたはサービングＢＷＰのｉ番目のスロットにおけるＰＵＳＣＨの
送信電力（ｄＢｍ）は、Ｐｃｍａｘ，ｃ、ＭＰＵＳＣＨ，ｃ（ｉ）、ＰＯ＿ＰＵＳＣＨ，ｃ（ｊ）、αｃ（ｊ）、ＰＬｃ、ΔＴＦ，ｃ、ｆｃ（ｉ）などに基づいて計算される。
【００７８】
ＰＵＣＣＨを同じスロット送信する場合には、次式で送信電力が与えられる。
【００７９】
【数２】
2019050472.tif 000004
【００８０】
ただし、Ｐ^ｃｍａｘ，ｃはＰｃｍａｘ，ｃの真値（linear value）であり、Ｐ^PUCCH
（ｉ）はスロットｉにおけるＰＵＣＣＨの送信電力の真値である。
【００８１】
すなわち、ある別の状況（例えば、ＰＵＣＣＨを同じスロット送信する場合など）で、ｃ番目のサービングセルまたはサービングＢＷＰのｉ番目のスロットにおけるＰＵＳＣＨの送信電力（ｄＢｍ）は、Ｐ^ｃｍａｘ，ｃ、Ｐ^PUCCH（ｉ）、ＭＰＵＳＣＨ，ｃ（ｉ）
、ＰＯ＿ＰＵＳＣＨ，ｃ（ｊ）、αｃ（ｊ）、ＰＬｃ、ΔＴＦ，ｃ、ｆｃ（ｉ）などに基づいて計算される。
【００８２】
次に、パワーヘッドルームレポートについて説明する。端末装置１が、サブフレームｉにおけるｃ番目のサービングセルまたはサービングＢＷＰでＰＵＣＣＨを伴わずにＰＵＳＣＨを送信する場合のパワーヘッドルームは、次式で計算される。
【００８３】
【数３】
2019050472.tif 000005
【００８４】
Ｐｔｙｐｅ１，ｃ（ｉ）はｉ番目のサブフレームにおけるｃ番目のサービングセルまたはサービングＢＷＰで、端末装置１が、ＰＵＣＣＨを伴わずにＰＵＳＣＨを送信する場合のパワーヘッドルームである。すなわち、ある状況で、ｃ番目のサービングセルまたはサービングＢＷＰのｉ番目のスロットにおけるパワーヘッドルームは、Ｐｃｍａｘ，ｃ、ＭＰＵＳＣＨ，ｃ（ｉ）、ＰＯ＿ＰＵＳＣＨ，ｃ（ｊ）、αｃ（ｊ）、ＰＬｃ、ΔＴＦ，ｃ、ｆｃ（ｉ）などに基づいて計算される。  
【００８５】
次に、パワーヘッドルームレポートについて説明する。端末装置１が、サブフレームｉにおけるｃ番目のサービングセルまたはサービングＢＷＰでＰＵＳＣＨを送信しない場合のパワーヘッドルームは、、次式で表される。
【００８６】
【数４】
2019050472.tif 000006
【００８７】
ここで、Ｐ~ｃｍａｘ，ｃはＭＰＲ（Maximum Power Reduction）、追加のＭＰＲ（Ａ−ＭＰＲ：Additional MPR、Ｐ−ＭＰＲ（Power management term for MPR）、ΔＴｃをゼ
ロデシベル（0 dB）と想定して計算したものである。これは、数３におけるＭＰＵＳＣＨ，ｃ（ｉ）を１、jを1としたものと同等の計算式となる。つまり、ｃ番目のサービングセルまたはサービングＢＷＰにおけるｉ番目のスロットのための有効なリソースブロック数を１としたことになる。別の言い方をすれば、ＰＵＳＣＨのリソース割当の帯域幅に基づかずに、パワーヘッドルームが計算される。なお、これはリファレンスフォーマット（またはバーチャルフォーマット）と称されてよい。なお、以降では数３または数４で計算されたパワーヘッドルームをパワーヘッドルームの値と称する。
【００８８】
次に、パワーヘッドルーム報告のトリガについて説明する。
【００８９】
パワーヘッドルーム報告の手続きは、サービング基地局へ名目上の端末装置１の最大送信電力（nominal maximum transmit power）と、活性化されたサービングセルまたはサービングＢＷＰ毎のＵＬ−ＳＣＨの送信電力のために推定される電力の差に関する情報、及び名目上の端末装置１の最大送信電力とＳｐＣｅｌｌおよびＰＵＣＣＨ  ＳＣｅｌｌにおけるＵＬ−ＳＣＨとＰＵＣＣＨのために推定される電力の差を提供するために用いられる。
【００９０】
ＲＲＣ層がパワーヘッドルーム報告を２つのタイマー（periodicPHR-Timer及びprohibitPHR-Timer）と、測定した下りリンクのパスロスとパワーマネジメントによる要求される電力バックオフの変化をセットする所定の値（dl-PathlossChange）を設定することによ
り制御する。periodicPHR-Timerは周期的にＰＨＲを報告するためのタイマーである。prohibitPHR-Timerはパワーヘッドルーム報告を満了するまで禁止するためのタイマーである。
【００９１】
あるＴＴＩにおいて、パワーヘッドルーム報告は、もし次のイベントの任意のイベントが生じたならトリガされる。
（１）prohibitPHR-Timerが失効または既に失効しており、かつパスロスリファレンス
として用いられている任意のＭＡＣエンティティの少なくとも１つのサービングセルまたはサービングＢＷＰにおいて初送（new transmission）のための上りリンクリソースを持つ場合にこのＭＡＣエンティティ内で最新のＰＨＲ送信からパスロスが所定の値（dl-PathlossChange）デシベル（dB）より大きく変化している
（２）periodicPHR-Timerが満了（失効）した
（３）機能を無効にしない上位層によるパワーヘッドルーム機能の設定および再設定
（４）上りリンクが設定されているＳＣｅｌｌの活性化
（５）ＰＳＣｅｌｌの追加
（６）prohibitPHR-Timerが満了または既に満了しており、初送（new transmission）
のための上りリンクリソースを持つ場合に上りリンクが設定されている任意のＭＡＣエンティティの任意の活性化されたサービングセルまたはサービングＢＷＰで、このＴＴＩで次の条件が真の場合
・このセルまたはＢＷＰで送信に割り当てられた上りリンクリソースまたはＰＵＣＣＨリソースがあり、パワーマネジメントにより要求されるパワーバックオフがこのセルまたはＢＷＰの最後のパワーヘッドルーム報告からパスロスがdl-PathlossChangeデシ
ベル（dB）より大きく変化している。
（７）ＰＵＳＣＨ送信のための波形が切り替わった
（８）物理上りリンク共用チャネルに対するトランスフォームプレコーディングが再設定された
次に、ＭＡＣエンティティの動作について説明する。
【００９２】
あるＴＴＩにおいて、もしＭＡＣエンティティがこのＴＴＩのための初送のために割り当てられた上りリンクリソースを持っているなら、ＭＡＣエンティティは、下記の動作を行う。
（１）もしそれ（初送のために割り当てられた上りリンクリソース）が最後のＭＡＣリセット以来最初の初送の上りリンクリソースであれば、periodicPHR-Timerを開始する
（２）もしパワーヘッドルーム報告手続きが少なくとも１つのＰＨＲがトリガされ、かつキャンセルされていない場合、かつＭＡＣエンティティが送信するよう設定されているＰＨＲをそのサブヘッダも加えて論理チャネル優先の結果として収容できる場合に、パワーヘッドルームを送信する。
【００９３】
つまり、端末装置１のＭＡＣ層は、以下のいずれかのトリガ条件が満たされた場合に、パワーヘッドルームの報告タイミングであると判断し、送信データの制御ヘッダー部分に含まれるＭＡＣ制御要素を用いてパワーヘッドルームを基地局装置に送信する。トリガ条件は、（１）ＰＨ報告禁止タイマー（prohibit PHR timer)）が停止しているときであっ
て、在圏セルのパスロス値が前回ＰＨを報告したときよりも所定の値以上劣化したとき、（２）ＰＨ周期タイマー(Periodic PHR timer)が満了したとき、（３）パワーヘッドルームの設定が変更されたとき、（４）セカンダリセルまたはセカンダリＢＷＰが活性化されたとき、である。
【００９４】
本発明の一態様について説明する。端末装置は、ＣＰ−ＯＦＤＭとＤＦＴ−Ｓ−ＯＦＤＭの２つの波形をサポートする。ここで、ネットワークまたはセルによってはいずれか一方の波形しか使用しないケースもあってよいし、両方使用するケースもあってよい。
【００９５】
両方の波形をネットワークがサポートする場合、基地局装置３は各端末装置１に対してどちらの波形を用いて通信を行うかをユーザ固有のＲＲＣシグナリングまたはＤＣＩで設定する。なお、メッセージ３の送信のようにシステム情報（例えばＲＡＣＨ設定）を用い
て波形を端末装置１に報知してもよい。メッセージ３は、Ｃ−ＲＮＴＩ  ＭＡＣ  ＣＥまたはＣＣＣＨ  ＳＤＵを含み、上位レイヤから提出され、ランダムアクセス手続きの一部として端末装置１の競合解消アイデンティティと関連付けられたＵＬ−ＳＣＨで送信されるメッセージである。
【００９６】
端末装置１は、複数のＰＯ＿ＰＵＳＣＨ，ｃ、αｃが割り当てられており、それぞれの波形に対してリンクするよう設定されている。例えば、ＰＯ＿ＰＵＳＣＨ，ｃ＝ＰＯ＿ＯＦＤＭおよびαｃ＝αＯＦＤＭがＣＰ−ＯＦＤＭと紐づけられるよう設定されたパラメータ、ＰＯ＿ＰＵＳＣＨ，ｃ＝ＰＯ＿ＤＦＴおよびαｃ＝αＤＦＴがＤＦＴ−Ｓ−ＯＦＤＭと紐づけられるよう設定されたパラメータであるとすると、ＣＰ−ＯＦＤＭがＰＵＳＣＨの送信のために設定されている場合にはＰＯ＿ＯＦＤＭおよび／またはαＯＦＤＭを用いてＰＵＳＣＨが割り当てられているかどうかに基づいて数３または数４のパワーヘッドルームが計算される。一方、ＰＵＳＣＨの送信に用いられるよう設定されていないＤＦＴ−Ｓ−ＯＦＤＭに関しては、ＰＯ＿ＤＦＴおよび／またはαＤＦＴを用いて数４で表されるリファレンスフォーマットを用いて報告してよい。
【００９７】
次に、波形の違いによる送信バックオフ（送信電力の低減量）が異なる場合、Ｐｃｍａｘ，ｃに反映される場合について述べる。ＣＰ−ＯＦＤＭがＰＵＳＣＨの送信のために設定されている場合にはＰＵＳＣＨが割り当てられているかどうかに基づいて数３または数４のパワーヘッドルームが計算される。一方、ＰＵＳＣＨの送信に用いられるよう設定されていないＤＦＴ−Ｓ−ＯＦＤＭに関しては、数４で表されるリファレンスフォーマットを用いて報告してよい。このとき、送信バックオフをＰ~ｃｍａｘ，ｃにＭＰＲやＡ−Ｍ
ＰＲ、Ｐ−ＭＰＲ、ΔＴｃの少なくともいずれか１つを０デシベルと想定せず、波形による送信バックオフを減算したＰ~ｃｍａｘ，ｃを用いてよい。
【００９８】
それぞれの波形のＰＨＲを送信するために、トリガの条件（periodicPHR-Timer、prohibitPHR-Timerおよび／またはdl-PathlossChange）が波形毎に設定されてよい。
【００９９】
次に、基地局がいずれかの波形のみを使うよう設定する場合について説明する。基地局装置３は端末装置１に対して、ＲＲＣシグナリングまたはシステム情報を用いて端末がＰＵＳＣＨ送信に用いる波形を設定し、端末装置１は設定された波形でＰＵＳＣＨを送信する。このとき、設定された波形に対するパワーヘッドルームの値を計算する。
【０１００】
次に、一つまたは複数のＳＲＳリソースが設定された場合について説明する。基地局装置３は、端末装置１に対して複数のＳＲＳリソースを設定する。複数のＳＲＳリソースは、上りリンクスロットの後方の複数シンボルに関連付けられる。例えば、４つＳＲＳリソースが設定され、スロットの後方の４シンボルのうち、それぞれのシンボルに各ＳＲＳリソースが関連付けられているとする。端末装置１は、ＳＲＳシンボルのそれぞれで独立した送信ビーム（送信フィルタ）を用いて送信してもよい。
【０１０１】
図６は、４つのＳＲＳリソースが設定された場合のＳＲＳシンボルの例を示す。Ｓ１がＳＲＳリソース＃１に関連付けられたＳＲＳリソース、Ｓ２がＳＲＳリソース＃２に関連付けられたＳＲＳリソース、Ｓ３がＳＲＳリソース＃３に関連付けられたＳＲＳリソース、Ｓ４がＳＲＳリソース＃４に関連付けられたＳＲＳリソースである。端末装置１は、この設定に基づいてそれぞれのリソースでそれぞれ送信ビームを適用してＳＲＳを送信する。
【０１０２】
端末装置１は、ＳＲＳリソース毎に異なる送信アンテナポートを用いて送信してよい。例えば、Ｓ１ではアンテナポート１０、Ｓ２ではアンテナポート１１、Ｓ３ではアンテナポート１２、Ｓ４ではアンテナポート１３を用いてＳＲＳを送信してよい。
【０１０３】
端末装置１は、ＳＲＳリソース毎に複数の送信アンテナポートまたは送信アンテナポートグループを用いて送信してよい。例えば、Ｓ１ではアンテナポート１０および１１、Ｓ２ではアンテナポート１２および１３を用いて送信してよい。
【０１０４】
端末装置１は、ＳＲＳリソース毎に同一のポートを用いて送信ビームを変えて送信してよい。例えば、Ｓ１では送信アンテナ１０および１１、Ｓ２ではアンテナポート１０および１１を用いてリソース毎に送信ビームを変えて送信してよい。
【０１０５】
サウンディング参照信号のリソース設定は、下記の情報エレメントの少なくとも１つまたは複数を含んでよい。
（１）サウンディング参照信号を送信するシンボルに関する情報またはインデックス
（２）サウンディング参照信号を送信するアンテナポートに関する情報
（３）サウンディング参照信号の周波数ホッピングパターン
【０１０６】
基地局装置３は、設定した各ＳＲＳリソースのうち、１つまたは複数を選択してＰＵＳＣＨの送信のためにＳＲＩ（SRS Resource Index）、ＳＲＳリソースに関連付けられたインデックス、またはＳＲＩに関連付けられたインデックスをＤＣＩまたはＭＡＣ  ＣＥ、ＲＲＣシグナリングにより端末装置１に指示してよい。端末装置１は、設定された各ＳＲＳリソースのうち、ＳＲＩ（SRS Resource Index）、ＳＲＳリソースに関連付けられたインデックス、またはＳＲＩに関連付けられたインデックスをＤＣＩまたはＭＡＣ  ＣＥ、ＲＲＣシグナリングにより基地局装置３から受信してもよい。端末装置１は、指定されたＳＲＳリソースに関連付けられたＤＭＲＳ（demodulation reference signal）の一つま
たは複数のアンテナポート、および／またはＰＵＳＣＨの一つまたは複数のアンテナポートを用いて、ＰＵＳＣＨ送信を行う。例えば、端末装置１は４つのＳＲＳリソースで送信ビーム＃１〜＃４を用いてＳＲＳを送信し、基地局装置３からＳＲＩとしてＳＲＳリソース＃２が指示された場合、端末装置１は、送信ビーム＃２を用いてＰＵＳＣＨを送信してもよい。また、複数のＳＲＳリソースが指示された場合には、指示されたＳＲＩに関連付けられたＳＲＳリソースで用いた複数の送信ビームを用いてＭＩＭＯ空間多重（MIMO SM:
Multiple Input Multiple Output Spatial Multiplexing）によりＰＵＳＣＨを送信してもよい。
【０１０７】
基地局装置３は、設定した各ＳＲＳリソースのうち、１つまたは複数を選択してＰＵＣＣＨの送信のためにＳＲＩ（SRS Resource Index）、ＳＲＳリソースに関連付けられたインデックス、またはＳＲＩに関連付けられたインデックスをＤＣＩまたはＭＡＣ  ＣＥ、ＲＲＣシグナリングにより端末装置１に指示してよい。ＰＵＣＣＨに関連付けられたＳＲＳリソースを特定するための情報が、下りリンクリソース割り当てを行うＤＣＩに含められる。端末装置１は、下りリンクリソース割り当てを行うＤＣＩに基づいて、ＰＤＳＣＨをデコードし、下りリンクリソース割り当てを行うＤＣＩで示されたＰＵＣＣＨリソースで、ＨＡＲＱ−ＡＣＫを送信する。端末装置１は、設定された各ＳＲＳリソースのうち、ＳＲＩ（SRS Resource Index）、ＳＲＳリソースに関連付けられたインデックス、またはＳＲＩに関連付けられたインデックスをＤＣＩまたはＭＡＣ  ＣＥ、ＲＲＣシグナリングにより基地局装置３から受信してもよい。端末装置１は、指定されたＳＲＳリソースに関連付けられたＤＭＲＳ（demodulation reference signal）の一つまたは複数のアンテナ
ポート、および／またはＰＵＣＣＨの一つまたは複数のアンテナポートを用いて、ＰＵＣＣＨ送信を行う。
【０１０８】
パワーヘッドルームは、ＳＲＳリソース毎に送信されてもよい。例えば、基地局装置３が端末装置１に対して一つまたは複数のＳＲＳリソースが設定された場合に、端末装置１のＭＡＣエンティティは設定されたＳＲＳリソース毎にパワーヘッドルーム報告をトリガ
してよい。端末装置１のＭＡＣエンティティは設定されたＳＲＳリソース毎にパワーヘッドルームを計算してよい。ＳＲＳリソースごととは、ＳＲＳリソースに関連付けられたＰＵＳＣＨ送信に対するパワーヘッドルームである。端末装置１のＭＡＣエンティティは設定されたＳＲＳリソース数のパワーヘッドルームの値を含むパワーヘッドルームＭＡＣ  ＣＥを送信してもよい。
【０１０９】
また、基地局装置１は端末装置３に対してＳＲＳリソース毎にパワーヘッドルーム報告のトリガの条件を設定してもよい。例えば、基地局装置１は、ＳＲＳリソース毎のＰＨＲの報告周期は報告禁止期間を設定してよい。また、端末装置１は、パワーヘッドルームの値の計算の際に、指示されたＳＲＩに基づいてＰＵＳＣＨを送信する場合には、ＰＵＳＣＨの割り当てがあるかどうかに基づいて数３および数４を用い、指示されていないＳＲＩに関連付けられたＰＵＳＣＨに関してはリファレンスフォーマット（数４）を用いてもよい。
【０１１０】
基地局装置１が端末装置３に対して、最新のＳＲＩと指示されたＳＲＩが異なる場合に、端末装置３のＭＡＣエンティティはパワーヘッドルーム報告をトリガしてもよい。
【０１１１】
次に、パワーヘッドルームＭＡＣ  ＣＥについて述べる。パワーヘッドルームＭＡＣ  ＣＥは、ＭＡＣ  ＰＤＵサブヘッダにより認識（identify）される。ＭＡＣ  ＣＥには、パワーヘッドルーム（ＰＨ）と称するフィールドを含み、所定のビット長（例えば、６ビット）を持つパワーヘッドルームレベルを示す。パワーヘッドルームレベルは、所定の範囲毎にパワーヘッドルームレベルが定義されてよい。例えば、ＬＴＥでは、−２３ｄＢから４０ｄＢの間を１デシベル刻みで６４レベルのパワーヘッドルームとし、数３または数４に基づいて計算された値に対応するＰＨをＭＡＣ  ＣＥとして定義されてよい。また、ＰＨＲが実際の送信であるかリファレンスフォーマットであるかを示すための情報フィールドが定義されてもよい。また、基地局装置１は、端末装置３に複数のＰＯ＿ＰＵＳＣＨ，ｃ、αｃを設定し、各ＳＲＳリソースに関連付けてもよい。
【０１１２】
つまり、端末装置１は、物理上りリンク共用チャネルに対するトランスフォームプレコーディングがイネーブルされているかを設定する情報を受信し、トランスフォームプレコーディングがイネーブルされたＰＵＳＣＨに対するパワーヘッドルームレベルを示す情報およびトランスフォームプレコーディングがイネーブルされていない物理上りリンク共用チャネルに対するパワーヘッドルームレベルを示す情報を送信してよい。
【０１１３】
このとき、端末装置１は、ＰＵＳＣＨに対するトランスフォームプレコーディングがイネーブルされている場合には、トランスフォームプレコーディングがイネーブルされたＰＵＳＣＨに対するパワーヘッドルームレベルを示す情報はスケジュールされた有効なリソースブロック数に基づいて計算され、トランスフォームプレコーディングがイネーブルされていない物理上りリンク共用チャネルに対するパワーヘッドルームレベルはリファレンスフォーマットで計算されてよい。
【０１１４】
このとき、端末装置１は、ＰＵＳＣＨに対するトランスフォームプレコーディングがイネーブルされていない場合には、トランスフォームプレコーディングがイネーブルされていないＰＵＳＣＨに対するパワーヘッドルームレベルを示す情報はスケジュールされた有効なリソースブロック数に基づいて計算され、トランスフォームプレコーディングがイネーブルされている物理上りリンク共用チャネルに対するパワーヘッドルームレベルを示す情報はリファレンスフォーマットで計算されてよい。
【０１１５】
このとき、端末装置１は、ＰＵＳＣＨに対するトランスフォームプレコーディングがイネーブルされていない場合には、トランスフォームプレコーディングがイネーブルされて
いないＰＵＳＣＨに対するパワーヘッドルームレベルを示す情報はスケジュールされた有効なリソースブロック数に基づいて計算され、トランスフォームプレコーディングがイネーブルされている物理上りリンク共用チャネルに対するパワーヘッドルームレベルはリファレンスフォーマットで計算されてよい。
【０１１６】
つまり、端末装置は、１つまたは複数のサウンディング参照信号のリソース設定を含む情報を受信し、ＰＤＣＣＨに含まれるＤＣＩに含まれるＳＲＩに関連付けられた上りリンク共有チャネルに対するパワーヘッドルームレベルを示す情報を送信し、ＰＤＣＣＨに含まれる（で運ばれる）ＤＣＩに含まれないＳＲＩに関連付けられた上りリンク共有チャネルに対するパワーヘッドルームレベルを示す情報を送信してよい。
【０１１７】
このとき、端末装置１は、ＰＤＣＣＨに含まれるＤＣＩに含まれるＳＲＩに関連付けられた上りリンク共有チャネルに対するパワーヘッドルームレベルを示す情報はスケジュールされた有効なリソースブロック数に基づいて計算され、ＰＤＣＣＨに含まれるＤＣＩに含まれないＳＲＩに関連付けられた上りリンク共有チャネルに対するパワーヘッドルームレベルを示す情報はリファレンスフォーマットで計算されてよい。
【０１１８】
本実施形態の一態様は、ＬＴＥやＬＴＥ−Ａ／ＬＴＥ−Ａ  Ｐｒｏといった無線アクセス技術（RAT: Radio Access Technology）とのキャリアアグリゲーションまたはデュアルコネクティビティにおいてオペレーションされてもよい。このとき、一部またはすべてのセルまたはセルグループ、キャリアまたはキャリアグループ（例えば、プライマリセル（PCell: Primary Cell）、セカンダリセル（SCell: Secondary Cell）、プライマリセカンダリセル（PSCell）、ＭＣＧ（Master Cell Group）、ＳＣＧ（Secondary Cell Group）
など）で用いられてもよい。また、単独でオペレーションするスタンドアローンで用いられてもよい。デュアルコネクティビティオペレーションにおいては、ＳｐＣｅｌｌ（Special Cell）は、ＭＡＣエンティティがＭＣＧに関連付けられているか、ＳＣＧに関連付けられているかに応じて、それぞれ、ＭＣＧのPCellまたは、SCGのPSCellと称する。デュアルコネクティビティオペレーションでなければ、ＳｐＣｅｌｌ（Special Cell）は、PCellと称する。ＳｐＣｅｌｌ（Special Cell）は、ＰＵＣＣＨ送信と、競合ベースランダム
アクセスをサポートする。
【０１１９】
以下、本実施形態における装置の構成について説明する。ここでは、下りリンクの無線伝送方式として、ＣＰ−ＯＦＤＭ、上りリンクの無線伝送方式としてＣＰ−ＯＦＤＭまたはＤＦＴＳ−ＯＦＤＭ（ＳＣ−ＦＤＭ）を適用する場合の例を示している。
【０１２０】
図７は、本実施形態の端末装置１の構成を示す概略ブロック図である。図示するように、端末装置１は、上位層処理部１０１、制御部１０３、受信部１０５、送信部１０７と送受信アンテナ１０９を含んで構成される。また、上位層処理部１０１は、無線リソース制御部１０１１、スケジューリング情報解釈部１０１３、および、チャネル状態情報（ＣＳＩ）報告制御部１０１５を含んで構成される。また、受信部１０５は、復号化部１０５１、復調部１０５３、多重分離部１０５５、無線受信部１０５７と測定部１０５９を含んで構成される。また、送信部１０７は、符号化部１０７１、変調部１０７３、多重部１０７５、無線送信部１０７７と上りリンク参照信号生成部１０７９を含んで構成される。
【０１２１】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層
、無線リソース制御（Radio Resource Control: RRC）層の処理を行う。
【０１２２】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【０１２３】
上位層処理部１０１が備えるスケジューリング情報解釈部１０１３は、受信部１０５を介して受信したＤＣＩ（スケジューリング情報）の解釈をし、前記ＤＣＩを解釈した結果に基づき、受信部１０５、および送信部１０７の制御を行うために制御情報を生成し、制御部１０３に出力する。
【０１２４】
ＣＳＩ報告制御部１０１５は、測定部１０５９に、ＣＳＩ参照リソースに関連するチャネル状態情報（ＲＩ／ＰＭＩ／ＣＱＩ／ＣＲＩ）を導き出すよう指示する。ＣＳＩ報告制御部１０１５は、送信部１０７に、ＲＩ／ＰＭＩ／ＣＱＩ／ＣＲＩを送信するよう指示をする。ＣＳＩ報告制御部１０１５は、測定部１０５９がＣＱＩを算出する際に用いる設定をセットする。
【０１２５】
制御部１０３は、上位層処理部１０１からの制御情報に基づいて、受信部１０５、および送信部１０７の制御を行う制御信号を生成する。制御部１０３は、生成した制御信号を受信部１０５、および送信部１０７に出力して受信部１０５、および送信部１０７の制御を行う。
【０１２６】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１２７】
無線受信部１０５７は、送受信アンテナ１０９を介して受信した下りリンクの信号を、中間周波数に変換し（ダウンコンバート: down covert）、不要な周波数成分を除去し、
信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出す
る。
【０１２８】
多重分離部１０５５は、抽出した信号を下りリンクのＰＤＣＣＨ、ＰＤＳＣＨ、および下りリンク参照信号に、それぞれ分離する。また、多重分離部１０５５は、測定部１０５９から入力された伝搬路の推定値から、ＰＤＣＣＨおよびＰＵＳＣＨの伝搬路の補償を行う。また、多重分離部１０５５は、分離した下りリンク参照信号を測定部１０５９に出力する。
【０１２９】
復調部１０５３は、下りリンクのＰＤＣＣＨに対して、復調を行い、復号化部１０５１へ出力する。復号化部１０５１は、ＰＤＣＣＨの復号を試み、復号に成功した場合、復号した下りリンク制御情報と下りリンク制御情報が対応するＲＮＴＩとを上位層処理部１０１に出力する。
【０１３０】
復調部１０５３は、ＰＤＳＣＨに対して、ＱＰＳＫ（Quadrature Phase Shift Keying
）、１６ＱＡＭ（Quadrature Amplitude Modulation）、６４ＱＡＭ、２５６ＱＡＭ等の
下りリンクグラントで通知された変調方式の復調を行い、復号化部１０５１へ出力する。復号化部１０５１は、下りリンク制御情報で通知された伝送または原符号化率に関する情報に基づいて復号を行い、復号した下りリンクデータ（トランスポートブロック）を上位層処理部１０１へ出力する。
【０１３１】
測定部１０５９は、多重分離部１０５５から入力された下りリンク参照信号から、下りリンクのパスロスの測定、チャネル測定、および／または、干渉測定を行う。測定部１０５９は、測定結果に基づいて算出したＣＳＩ、および、測定結果を上位層処理部１０１へ出力する。また、測定部１０５９は、下りリンク参照信号から下りリンクの伝搬路の推定値を算出し、多重分離部１０５５へ出力する。
【０１３２】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【０１３３】
符号化部１０７１は、上位層処理部１０１から入力された上りリンク制御情報、および、上りリンクデータを符号化する。変調部１０７３は、符号化部１０７１から入力された符号化ビットをＢＰＳＫ、ＱＰＳＫ、１６ＱＡＭ、６４ＱＡＭ、２５６ＱＡＭ等の変調方式で変調する。
【０１３４】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１３５】
多重部１０７５は、ＰＵＳＣＨのスケジューリングに用いられる情報に基づき、空間多重されるＰＵＳＣＨのレイヤの数を決定し、ＭＩＭＯ空間多重（MIMO SM: Multiple Input Multiple Output Spatial Multiplexing）を用いることにより同一のＰＵＳＣＨで送信される複数の上りリンクデータを、複数のレイヤにマッピングし、このレイヤに対してプレコーディング（precoding）を行う。
【０１３６】
多重部１０７５は、制御部１０３から入力された制御信号に従って、ＰＵＳＣＨの変調シンボルを離散フーリエ変換（Discrete Fourier Transform: DFT）する。また、多重部
１０７５は、ＰＵＣＣＨおよび／またはＰＵＳＣＨの信号と生成した上りリンク参照信号を送信アンテナポート毎に多重する。つまり、多重部１０７５は、ＰＵＣＣＨおよび／またはＰＵＳＣＨの信号と生成した上りリンク参照信号を送信アンテナポート毎にリソースエレメントに配置する。
【０１３７】
無線送信部１０７７は、多重された信号を逆高速フーリエ変換（Inverse Fast Fourier
Transform: IFFT）して、ＳＣ−ＦＤＭ方式の変調を行い、ＳＣ−ＦＤＭ変調されたＳＣ−ＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１３８】
図８は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、スケジューリング部３０１３、および、ＣＳＩ報告制御部３０１５を含んで構成される。また、受信部３０５は、復号化部３０５１、復調部３０５３、多重分離部３０５５、無線受信部３０５７と測定部３０５９を含んで構成される。ま
た、送信部３０７は、符号化部３０７１、変調部３０７３、多重部３０７５、無線送信部３０７７と下りリンク参照信号生成部３０７９を含んで構成される。
【０１３９】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行う。また、上位層処理部３０１は、受信部３０５、および送信部３０７の制御を行うために制御情報を生成し、制御部３０３に出力する。
【０１４０】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノー
ドから取得し、送信部３０７に出力する。また、無線リソース制御部３０１１は、端末装置１各々の各種設定情報の管理をする。
【０１４１】
上位層処理部３０１が備えるスケジューリング部３０１３は、受信したＣＳＩおよび測定部３０５９から入力された伝搬路の推定値やチャネルの品質などから、物理チャネル（ＰＤＳＣＨまたはＰＵＳＣＨ）を割り当てる周波数およびサブフレーム、物理チャネル（ＰＤＳＣＨまたはＰＵＳＣＨ）の伝送符号化率および変調方式および送信電力などを決定する。スケジューリング部３０１３は、スケジューリング結果に基づき、受信部３０５、および送信部３０７の制御を行うために制御情報を生成し、制御部３０３に出力する。スケジューリング部３０１３は、スケジューリング結果に基づき、物理チャネル（ＰＤＳＣＨまたはＰＵＳＣＨ）のスケジューリングに用いられる情報（例えば、ＤＣＩ（フォーマット））を生成する。
【０１４２】
上位層処理部３０１が備えるＣＳＩ報告制御部３０１５は、端末装置１のＣＳＩ報告を制御する。ＣＳＩ報告制御部３０１５は、端末装置１がＣＳＩ参照リソースにおいてＲＩ／ＰＭＩ／ＣＱＩを導き出すために想定する、各種設定を示す情報を、送信部３０７を介して、端末装置１に送信する。
【０１４３】
制御部３０３は、上位層処理部３０１からの制御情報に基づいて、受信部３０５、および送信部３０７の制御を行う制御信号を生成する。制御部３０３は、生成した制御信号を受信部３０５、および送信部３０７に出力して受信部３０５、および送信部３０７の制御を行う。
【０１４４】
受信部３０５は、制御部３０３から入力された制御信号に従って、送受信アンテナ３０９を介して端末装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、
不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１４５】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数
領域の信号を抽出し多重分離部３０５５に出力する。
【０１４６】
多重分離部１０５５は、無線受信部３０５７から入力された信号をＰＵＣＣＨ、ＰＵＳＣＨ、上りリンク参照信号などの信号に分離する。尚、この分離は、予め基地局装置３が
無線リソース制御部３０１１で決定し、各端末装置１に通知した上りリンクグラントに含まれる無線リソースの割り当て情報に基づいて行われる。また、多重分離部３０５５は、測定部３０５９から入力された伝搬路の推定値から、ＰＵＣＣＨとＰＵＳＣＨの伝搬路の補償を行う。また、多重分離部３０５５は、分離した上りリンク参照信号を測定部３０５９に出力する。
【０１４７】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４
ＱＡＭ、２５６ＱＡＭ等の予め定められた、または自装置が端末装置１各々に上りリンクグラントで予め通知した変調方式を用いて受信信号の復調を行う。復調部３０５３は、端末装置１各々に上りリンクグラントで予め通知した空間多重される系列の数と、この系列に対して行うプリコーディングを指示する情報に基づいて、ＭＩＭＯ  ＳＭを用いることにより同一のＰＵＳＣＨで送信された複数の上りリンクデータの変調シンボルを分離する。
【０１４８】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した伝送または原符号化率で復号を行い、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行う。測定部３０５９は、多重分離部３０５５から入力された上りリンク参照信号から伝搬路の推定値、チャネルの品質などを測定し、多重分離部３０５５および上位層処理部３０１に出力する。
【０１４９】
送信部３０７は、制御部３０３から入力された制御信号に従って、下りリンク参照信号を生成し、上位層処理部３０１から入力された下りリンク制御情報、下りリンクデータを符号化、および変調し、ＰＤＣＣＨ、ＰＤＳＣＨ、および下りリンク参照信号を多重または別々の無線リソースで、送受信アンテナ３０９を介して端末装置１に信号を送信する。
【０１５０】
符号化部３０７１は、上位層処理部３０１から入力された下りリンク制御情報、および下りリンクデータを符号化する。変調部３０７３は、符号化部３０７１から入力された符号化ビットをＢＰＳＫ、ＱＰＳＫ、１６ＱＡＭ、６４ＱＡＭ、２５６ＱＡＭ等の変調方式で変調する。
【０１５１】
下りリンク参照信号生成部３０７９は、基地局装置３を識別するための物理セル識別子（ＰＣＩ）などを基に予め定められた規則で求まる、端末装置１が既知の系列を下りリンク参照信号として生成する。
【０１５２】
多重部３０７５は、空間多重されるＰＤＳＣＨのレイヤの数に応じて、１つのＰＤＳＣＨで送信される１つまたは複数の下りリンクデータを、１つまたは複数のレイヤにマッピングし、該１つまたは複数のレイヤに対してプレコーディング（precoding）を行う。多
重部３０７５は、下りリンク物理チャネルの信号と下りリンク参照信号を送信アンテナポート毎に多重する。多重部３０７５は、送信アンテナポート毎に、下りリンク物理チャネルの信号と下りリンク参照信号をリソースエレメントに配置する。
【０１５３】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波
数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１５４】
（１）より具体的には、本発明の第１の態様における端末装置１は、基地局装置と通信する端末装置であって、物理下りリンク制御チャネルを受信する受信部と、物理上りリンク制御チャネルを送信する送信部と、を備え、前記受信部は、前記物理下りリンク制御チャネルで運ばれる下りリンク制御情報を受信し、前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含み、サウンディング参照信号のリソースを示す情報に基づいて、上りリンク制御チャネルを送信する。
【０１５５】
（２）本発明の第２の態様における基地局装置３は、端末装置と通信する基地局装置であって、物理下りリンク制御チャネルを送信する送信部と、物理上りリンク制御チャネルを受信する受信部と、を備え、前記送信部は、前記物理下りリンク制御チャネルで運ばれる下りリンク制御情報を送信し、前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含む。
【０１５６】
（３）本発明の第３の態様における通信方法は、基地局装置と通信する端末装置の通信方法であって、物理下りリンク制御チャネルを受信し、物理上りリンク制御チャネルを送信し、前記物理下りリンク制御チャネルで運ばれる下りリンク制御情報を受信し、前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含み、サウンディング参照信号のリソースを示す情報に基づいて、上りリンク制御チャネルを送信する。
【０１５７】
（４）本発明の第４の態様における通信方法は、端末装置と通信する基地局装置の通信方法であって、物理下りリンク制御チャネルを送信し、物理上りリンク制御チャネルを受信し、前記物理下りリンク制御チャネルで運ばれる下りリンク制御情報を送信し、前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含む。
【０１５８】
（５）本発明の第５の態様における集積回路は、基地局装置と通信する端末装置に実装される集積回路であって、物理下りリンク制御チャネルを受信する受信手段と、物理上りリンク制御チャネルを送信する送信手段と、を備え、前記受信手段は、前記物理下りリンク制御チャネルで運ばれる下りリンク制御情報を受信し、前記下りリンク制御情報の下りリンク制御情報フォーマットは、物理下りリンク共用チャネルのスケジューリングに用いられ、前記下りリンク制御情報フォーマットは、一つのサウンディング参照信号のリソースを示す情報を含み、サウンディング参照信号のリソースを示す情報に基づいて、上りリンク制御チャネルを送信する。
【０１５９】
（６）本発明の第６の態様における集積回路は、端末装置と通信する基地局装置に実装される集積回路であって、物理下りリンク制御チャネルを送信する送信手段と、物理上りリンク制御チャネルを受信する受信手段と、を備え、前記送信手段は、前記物理下りリンク制御チャネルで運ばれる下りリンク制御情報を送信し、前記下りリンク制御情報の下りリンク制御情報フォーマットは、物理下りリンク共用チャネルのスケジューリングに用いられ、前記下りリンク制御情報フォーマットは、一つのサウンディング参照信号のリソー
スを示す情報を含む。
【０１６０】
本発明に関わる装置で動作するプログラムは、本発明に関わる実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、一時的にＲａｎｄｏｍ  Ａｃｃｅｓｓ  Ｍｅｍｏｒｙ（ＲＡＭ）などの揮発性メモリあるいはフラッシュメモリなどの不揮発性メモリやＨａｒｄ  Ｄｉｓｋ  Ｄｒｉｖｅ（ＨＤＤ）、あるいはその他の記憶装置システムに格納される。
【０１６１】
尚、本発明に関わる実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体、短時間動的にプログラムを保持する媒体、あるいはコンピュータが読み取り可能なその他の記録媒体であっても良い。
【０１６２】
また、上述した実施形態に用いた装置の各機能ブロック、または諸特徴は、電気回路、たとえば、集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、本発明の一又は複数の態様は当該技術による新たな集積回路を用いることも可能である。
【０１６３】
なお、本発明に関わる実施形態では、基地局装置と端末装置で構成される通信システムに適用される例を記載したが、Ｄ２Ｄ（Device to Device）のような、端末同士が通信を行うシステムにおいても適用可能である。
【０１６４】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１６５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１６６】
１（１Ａ、１Ｂ、１Ｃ）  端末装置
３  基地局装置
１０  ＴＸＲＵ
１１  位相シフタ
１２  アンテナ
１０１  上位層処理部
１０３  制御部
１０５  受信部
１０７  送信部
１０９  アンテナ
３０１  上位層処理部
３０３  制御部
３０５  受信部
３０７  送信部
１０１１  無線リソース制御部
１０１３  スケジューリング情報解釈部
１０１５  チャネル状態情報報告制御部
１０５１  復号化部
１０５３  復調部
１０５５  多重分離部
１０５７  無線受信部
１０５９  測定部
１０７１  符号化部
１０７３  変調部
１０７５  多重部
１０７７  無線送信部
１０７９  上りリンク参照信号生成部
３０１１  無線リソース制御部
３０１３  スケジューリング部
３０１５  チャネル状態情報報告制御部
３０５１  復号化部
３０５３  復調部
３０５５  多重分離部
３０５７  無線受信部
３０５９  測定部
３０７１  符号化部
３０７３  変調部
３０７５  多重部
３０７７  無線送信部
３０７９  下りリンク参照信号生成部
Ｓ１  ＳＲＳリソース＃１
Ｓ２  ＳＲＳリソース＃２
Ｓ３  ＳＲＳリソース＃３
Ｓ４  ＳＲＳリソース＃４
【図１】
2019050472.tif 000007
【図２】
2019050472.tif 000008
【図３】
2019050472.tif 000009
【図４】
2019050472.tif 000010
【図５】
2019050472.tif 000011
【図６】
2019050472.tif 000012
【図７】
2019050472.tif 000013
【図８】
2019050472.tif 000014